(57)【要約】【課題】再生デジタル情報信号をＡＤ変換するときに使用するクロック信号を生成するＰＬＬの同期を安定化し、併せてエラーレートの改善を可能とする磁気テープ再生装置を提供する。【解決手段】複数の磁気ヘッドが交互に再生する再生デジタル情報信号の信号特性を補正するイコライズ手段と、このイコライズ手段により補正された再生デジタル情報信号の立ち上がり波形と立下り波形の対称性を複数の磁気ヘッドに対応して検出する波形対称性検出手段と、前記イコライズ手段により補正された再生デジタル情報信号をＡＤ変換するＡＤ変換手段を設ける構成とし、前記イコライズ手段では前記波形対称性検出手段で検出された検出信号を用いて再生デジタル情報信号の波形の対称性を補正するイコライズを行うことによりＰＬＬのロックを安定化できる。【選択図】図１
2006202425.tif 000002
【特許請求の範囲】
【請求項１】
磁気テープに記録されている再生情報信号を再生する複数の磁気ヘッドを有する磁気テープ再生装置において、
前記磁気ヘッドが再生する前記再生情報信号のパルス波形の立ち上がりと立下りの対称性を補正するプリイコライズ手段と、
前記再生情報信号の立ち上がり波形と立下り波形の対称性から、前記複数の磁気ヘッドに対応した前記再生情報信号を検出する波形対称性検出手段と、
前記プリイコライズ手段によりパルス波形の立ち上がりと立下りの対称性が補正された前記再生情報信号を所定のクロック信号を用いて、ＡＤ変換しデジタル信号を生成するＡＤ変換手段と、
前記ＡＤ変換手段により生成されたデジタル信号と前記クロック信号を同期させるＰＬＬ手段と、
前記ＡＤ変換手段により生成されたデジタル信号の特性を自動補正する波形等化手段と、
を有することを特徴とする磁気テープ再生装置。
【発明の詳細な説明】
【技術分野】
【０００１】
本発明は、磁気テープ再生装置に係り、特に再生されたデジタル信号のプリイコライザに関する。
【背景技術】
【０００２】
磁気テープから再生されたデジタル情報信号を復号して情報信号に含まれる映像音声等の情報を再生するとき、磁気テープや磁気ヘッドの特性差や再生回路方式の違い等による伝送路特性の差、あるいはジッター、ノイズの混入等によって信号が劣化しエラーレートが悪化することがある。
【０００３】
従来から、伝送路を経て劣化したアナログ信号形態の情報信号をデジタル信号に変換処理する際には、エラーレートの劣化を抑えるための種々の提案がなされている。
たとえば、下記特許文献１は、伝送路を通過することで再生信号に含まれるクロック周波数成分のエネルギーが小さくなり、ＰＬＬ（位相同期ループ）回路を用いたクロック抽出回路への入力信号の信号対雑音比（Ｓ／Ｎ比）が低下したときに、サンプリングジッタが増加するのを改良する技術を開示したものである。
また、下記特許文献２は、エラーレートの劣化を抑えるために再生信号の低周波部と高周波部に生じる劣化および符号間干渉を補正するための波形等化処理を行う自動等化システムの改良技術を開示したものである。
【０００４】
この特許文献１および２に見られるように、従来から再生信号のエラーレートの劣化を抑えるための改良技術は、再生信号をＡＤ変換回路で一旦デジタル信号に変換し、デジタル信号処理回路上で行うことが多い。これは、こうしたエラーレートの改良技術をアナログ信号上で行うと回路構成が複雑で煩雑な調整が必要となり実施が極めて難しくなるからである。
【特許文献１】特開平０９−２１９０６８号公報
【特許文献２】特開平１０−３２６４５７号公報
【発明の開示】
【発明が解決しようとする課題】
【０００５】
しかしながら、再生信号をＡＤ変換回路でデジタル化するには、まずＰＬＬ回路を使用して再生信号からクロック信号を生成する必要があり、この動作を確実に行うためにはＡＤ変換前のアナログ回路上で再生信号の周波数特性や遅延時間特性を補正するプリイコライジングを行う必要がある。
磁気テープを用いたデジタル録画再生機器では、複数の磁気ヘッドの再生信号を交互に切り替えて連続信号にするので、本来それぞれの磁気ヘッドの再生特性に合わせてプリイコライジングを行うのがよいが、回路が複雑になるため連続信号にしてから共通のイコライジングを行う例が多い。そのため、一方の磁気ヘッドの再生信号には適切なイコライジングが行われても他方の磁気ヘッドの再生信号には適切でない場合が生ずるという不都合が発生し、上記ＰＬＬのロックが不完全となりクロック信号の生成に支障をきたすことがあった。又、経年変化により磁気ヘッドの特性が変わった場合においても最適なイコライジングからずれるためにＰＬＬのロックが不完全となることがあった。
【０００６】
そこで、本発明は上記従来の問題点に鑑みなされたものであり、その目的は、クロック信号を生成するＰＬＬのロックを安定化し、併せてエラーレートの改善を可能とする磁気テープ再生装置を提供せんとするものである。
【課題を解決するための手段】
【０００７】
本発明は、磁気テープに記録されている再生情報信号を再生する複数の磁気ヘッドを有する磁気テープ再生装置において、前記磁気ヘッドが再生する前記再生情報信号のパルス波形の立ち上がりと立下りの対称性を補正するプリイコライズ手段と、前記再生情報信号の立ち上がり波形と立下り波形の対称性から、前記複数の磁気ヘッドに対応した前記再生情報信号を検出する波形対称性検出手段と、前記プリイコライズ手段によりパルス波形の立ち上がりと立下りの対称性が補正された前記再生情報信号を所定のクロック信号を用いて、ＡＤ変換しデジタル信号を生成するＡＤ変換手段と、前記ＡＤ変換手段により生成されたデジタル信号と前記クロック信号を同期させるＰＬＬ手段と、前記ＡＤ変換手段により生成されたデジタル信号の特性を自動補正する波形等化手段と、を有することを特徴とする磁気テープ再生装置を提供する。
【発明の効果】
【０００８】
本発明に係る磁気テープ再生装置により、磁気テープから再生されたデジタル情報信号のパルス波形の対称性が自動的に補正されるので、再生信号をＡＤ変換するときに必要なクロック信号を生成するＰＬＬ回路のロックが安定になり、同時にエラーレートの改善が図れる効果がある。これにより、複数の磁気ヘッドの特性が異なっていたり経年変化で特性がずれてきても安定した再生が可能となる。
【発明を実施するための最良の形態】
【０００９】
以下、本発明を実施するための最良の形態について図面と共に説明する。
図１は本発明に係る磁気テープ再生装置の主要信号処理部のブロック図、図２は本発明に係る磁気テープ再生装置の波形対称性検出部のブロック図、図３は本発明に係る磁気テープ再生装置の再生デジタル信号波形とサンプリングクロックの関係を示す図、図４は本発明に係る磁気テープ再生装置のプリイコライザの回路例を示した図である。
【００１０】
まず本発明に係る磁気テープ再生装置の主要信号処理部の構成を説明する。
図１において、プリイコライザ回路１には、図示しない磁気ヘッドで再生されヘッドアンプで増幅された再生デジタル情報信号が入力される。プリイコライザ回路１には後述する対称性検出回路２で検出された結果のコントロール信号が接続されており、これにより入力された再生デジタル情報信号のパルス波形の立上がりと立下りの対称性を補正して次のＡＤ変換回路３に出力する。
【００１１】
ＡＤ変換回路３はＰＬＬブロック４内のＶＣＯ（電圧制御発振器）６からのクロック信号で入力のデジタル情報信号をサンプリングし次いでデジタル信号に変換する。このＡＤ変換回路３で生成されたデジタル信号は２ヶ所に供給される。一方はＰＬＬブロック４内の位相比較回路５に供給され、ここでＶＣＯ６からのクロック信号と位相比較を行い位相誤差信号を発生する。位相比較回路５の位相誤差信号は、次いでループフィルタ７で所定の伝送特性に制限されてからクロック信号の周波数制御信号として前記ＶＣＯ６に供給される。
【００１２】
ＡＤ変換回路３で生成されたデジタル信号のもう一方は、波形等化ブロック８に供給され、ここでトランスバーサルフィルタ９と等化誤差検出回路１０で構成された自動等化システムにより周波数特性や遅延特性が補正されエラーレートの改善が行われる。
波形等化ブロック８の出力デジタル信号は次いでデジタルの２値情報を判別して安定なデジタル信号に修正するビタビ回路１１に供給される。
ビタビ回路１１の出力デジタル信号は、図示しない誤り訂正処理部等の再生復調処理が行われるブロックに供給され、最終的にデジタル情報信号に含まれる映像音声等の信号が復元される。
【００１３】
次に、図２及び図３を用いて本発明の中心技術である前記プリイコライザ回路１と対称性検出回路２の動作を説明する。まず図３により、前記ＡＤ変換回路３における再生信号波形とサンプリングクロックとの関係を説明する。この図に矢印で示すサンプリングタイミングはＰＬＬブロック４によって決定されるものである。すなわち、ＰＬＬブロック４では、基本的に再生信号波形のピークＳ０点をセンターにしてＳ−１点とＳ＋１点が同じレベルになるような位相にロックするように動作する。このとき、再生信号波形がピーク点を中心に左右対称性の良い波形であれば問題ないが、対称性が悪い場合にはＳ−１点とＳ＋１点を同じレベルになるようにロックするので、図のように再生信号波形のピーク点とＳ０点にずれが生じ、この結果エラーレートが悪化したり、更にずれるとＰＬＬがロックできなかったりする現象が発生する。
なお、図３は再生信号の＋側の波形を示したが同様に−側の信号も存在する。
【００１４】
このようにＰＬＬのロックは再生信号波形の対称性に左右されるものであり、このＰＬＬブロックで生成したクロック信号で再生信号をサンプリングするのであるから、本来サンプリング後のデジタルデータで波形の対称性を補正するのは好ましくないことになる。
一般に、磁気テープにデジタル記録再生されたパルス信号は立ち上がりと立下り波形の対称性が悪い場合が多いことが知られている。そこで、本発明は再生信号をＡＤ変換する前段階で波形の対称性を自動補正するプリイコライジングを行うことにより、ＰＬＬのロックを安定化し併せてエラーレートの改善を可能とするものである。
【００１５】
図２は、本実施例で用いる信号波形の対称性を検出する回路である。プリイコライザ回路１からの再生信号は、ＤＬＹ（遅延）２１とＤＬＹ２２で構成された３タップのトランスバーサルフィルタに入力される。このトランスバーサルフィルタのセンタータップの信号を波形整形回路２４に入力し、基準電圧回路２３の基準電圧を閾値として＋値、０、−値の３値に波形整形する。基準電圧値は一例として前記再生信号波形のＳ０点とＳ±１点の中間値とし＋側と−側の２つを用意する。次にこの波形整形された信号とトランスバーサルフィルタの前後の信号とを乗算器２５及び同２６でそれぞれ乗算し平均化する。このとき２つの平均値が等しい場合は信号波形の対称性は良好である。
【００１６】
次に、この２つの平均値を差分回路２７に入力しそれぞれの差分値を算出する。算出された差分値はＳＷ（スイッチ）２８で外部から供給される選択信号により、ｃｈ１積分回路２９又はｃｈ２積分回路３０のいずれかに入力し値を積分する。この選択は差分値を再生磁気ヘッドに対応させそれぞれ独立した値として取り出すためのものである。ｃｈ１積分回路２９及びｃｈ２積分回路３０の積分値はＳＷ３１により選択されて図１のプリイコライザ回路１へ対称性補正信号として供給される。
なお、このとき、上記３タップのトランスバーサルフィルタを構成するＤＬＹ２１とＤＬＹ２２の遅延量は、再生信号のデータレートに一致させる必要はなく、むしろ再生信号のレート周期より長く設定することで対称性は検出しやすくなる。
【００１７】
図４は本実施例で用いるプリイコライズ回路の例である。この図は左端のトランジスタＱ１に再生信号が入力され、Ｑ２で再生信号波形の対称性が補正されて右端のＱ３から出力されるものである。Ｑ２のコレクタ端子にはＲ１０で示した電圧制御の可変抵抗素子が使われ前記対称性検出回路２から供給されるコントロール信号により特定周波数成分の位相シフト量を可変して信号波形の対称性を補正する。
なお、再生信号のイコライジングについては図１の波形等化ブロック８による自動等化システムで精密に補正されるので、このプリイコライズ回路１では、基本的な伝送特性の補正にとどめるだけにして、むしろ信号波形の対称性の補正に重点を置いたイコライジングとする。
【００１８】
以上詳述したように、本発明に係る磁気テープ再生装置により、磁気テープから再生されたデジタル情報信号のパルス波形の対称性が自動的に補正されるので、再生信号をＡＤ変換するときに必要なクロック信号を生成するＰＬＬ回路のロックが安定になり、同時にエラーレートの改善が図れるものである。これにより、複数の磁気ヘッドの特性が異なっていたり経年変化で特性がずれてきても安定した再生が可能となる。
【図面の簡単な説明】
【００１９】
【図１】本発明に係る磁気テープ再生装置の主要信号処理部のブロック図である。
【図２】本発明に係る磁気テープ再生装置の波形対称性検出部のブロック図である。
【図３】本発明に係る磁気テープ再生装置の再生デジタル信号波形とサンプリングクロックの関係を示す図である。
【図４】本発明に係る磁気テープ再生装置のプリイコライザの回路例を示した図である。
【符号の説明】
【００２０】
１…プリイコライザ回路
２…対称性検出回路
３…ＡＤ変換回路
４…ＰＬＬブロック
５…位相比較回路
６…ＶＣＯ（電圧制御発振器）
７…ループフィルタ
８…波形等化ブロック
９…トランスバーサルフィルタ
１０…等化誤差検出回路
１１…ビタビ回路
２１、２２…ＤＬＹ（遅延）
２３…基準電圧回路
２４…波形整形回路
２５、２６…乗算器
２７…差分回路
２８、３１…ＳＷ（スイッチ）
２９…ｃｈ１積分回路
３０…ｃｈ２積分回路
Ｑ１、Ｑ２、Ｑ３…トランジスタ
Ｒ１０…電圧制御可変抵抗素子
【図１】
2006202425.tif 000003
【図２】
2006202425.tif 000004
【図３】
2006202425.tif 000005
【図４】
2006202425.tif 000006